(57)【要約】【課題】機器収納ラック内への暖気の回り込みを抑制するように構成された閉塞板およびそれを備えた機器収納ラックを提供すること。【解決手段】機器収納ラック１０に取り付けられるｎユニット（ｎは１以上の整数）の閉塞板１３は、ｍユニット（０＜ｍ＜１）の間隔で機器収納ラック１０の内側に折り込むことができるように形成された折込手段２０を備え、機器収納ラック１０内に複数のＩＣＴ装置を収納する際に、折込手段２０によって閉塞板１３が機器収納ラック１０の内側に折り込まれてＩＣＴ装置間の隙間を塞ぐように構成されている。【選択図】図４
2015082518.tif 000002
【特許請求の範囲】
【請求項１】
機器収納ラックに取り付けられるｎユニット（ｎは１以上の整数）の閉塞板であって、
ｍユニット（０＜ｍ＜１）の間隔で機器収納ラックの内側に折り込むことができるように形成された折込手段を備え、
前記機器収納ラック内に複数のＩＣＴ装置を収納する際に、前記折込手段によって前記閉塞板が前記機器収納ラックの内側に折り込まれて前記ＩＣＴ装置間の隙間を塞ぐように構成されていることを特徴とする閉塞板。
【請求項２】
前記閉塞板はさらに、前記機器収納ラックのマウントレールの内側に折り曲げられるように構成されていることを特徴とする請求項１に記載の閉塞板。
【請求項３】
前記折込手段は、切り込みまたはミシン目であることを特徴とする請求項１または２に記載の閉塞板。
【請求項４】
前記閉塞板は、前記折込手段の位置で、折り曲げ、または、切り離しができるように構成されていることを特徴とする請求項１ないし３のいずれか１項に記載の閉塞板。
【請求項５】
請求項１ないし４のいずれか１項に記載の閉塞板を備える機器収納ラック。
【発明の詳細な説明】
【技術分野】
【０００１】
本発明は、サーバー等の機器を収納するラックに備えられる閉塞板に関する。
【０００２】
近年、インターネットやＩＣＴ(Information Communication and Technology)サービスの普及に伴い、通信機械室やデータセンタなどの室内における消費電力が大幅に増加している。特に、通信装置やサーバー（以下、「ＩＣＴ装置」という。）の高機能化および高密度化により、これらの装置の発熱量が大幅に増加してきている。
【０００３】
一般に、ＩＣＴ装置では複数台を配列して膨大なデータ量の処理を実行するように構成されている。そのために、ＩＣＴ装置は、室温が制御される専用の室内に設置されることが多い。
【０００４】
この専用の室内では、複数台のＩＣＴ装置を収納するためのサーバーラック、すなわち機器収納ラックが設けられる。この機器収納ラックには、ＩＣＴ装置の横幅と奥行きとに合せて複数のマウントレール部が設けられ、各マウントレール部に沿って、複数台のＩＣＴ装置が上下方向（一列）に配列するように取り付けられる。ＩＣＴ装置では、データ処理などの稼働に伴って発熱し、発熱による温度上昇が、ＩＣＴ装置の故障や誤動作などの要因になり得る。
【０００５】
そのために、特許文献１では、上述した発熱による温度上昇を抑止するために、ＩＣＴ装置内またはサーバーラック内に外気を取り入れて冷却するサーバーラックが開示されている。また、特許文献１では、ＩＣＴ装置間の隙間を通じて排熱が循環して温度が上昇しないように、上述した隙間に閉塞板を設置するサーバーラックも開示されている。これらのサーバーラックの様子を図１および図２に示す。
【０００６】
図１は、従来のサーバーラックにおいて、４台のＩＣＴ装置１０３ａ〜１０３ｄが収納されている様子を示す図であって、（ａ）はＩＣＴ装置間の隙間に閉塞板が設けられていないサーバーラック１００の場合、（ｂ）は閉塞板１０４ａ〜１０４ｅが設けられているサーバーラック１００Ａの場合、を示している。図１（ａ）に示す例では、サーバーラック１００内に設けられたマウントフレーム１０１，１０２の上下方向に沿って、４台のＩＣＴ装置１０３ａ〜１０３ｄが配置されている。
【０００７】
図１（ｂ）に示すサーバーラック１００Ａの場合には、図１（ａ）のサーバーラック１００と同様に、４台のＩＣＴ装置１０３ａ〜１０３ｄが、マウントフレーム１０１，１０２の上下方向に沿って配置されている。そして、隣接するＩＣＴ装置間に閉塞板１０４ａ〜１０４ｅが設けられている。
【０００８】
図２は、従来の排熱処理および冷却処理を説明するための図であって、（ａ）は図１（ａ）と同一のサーバーラック１００であって、排熱処理および冷却処理が行われる場合、（ｂ）は図１（ｂ）と同一のサーバーラック１００Ａであって、排熱処理および冷却処理が行われる場合を示している。図２（ａ）に示す例では、外気２００がサーバーラック１００内に取り入れられて冷却に利用されている。一方、ＩＣＴ装置１０３ａ〜１０３ｄの排熱２０１がサーバーラック背面から外部に排出されるもののその一部の熱２０２がサーバーラック背面からサーバーラック前面に回り込んでサーバーラック前面から取り込まれ得る。
【０００９】
図２（ｂ）に示すサーバーラック１００Ａの場合は、サーバーラック前面に設けられた閉塞板１０４ａ〜１０４ｅによって、図２（ａ）に示した排熱２０２がサーバーラック１００Ａ内に流入しないようになっている。
【先行技術文献】
【特許文献】
【００１０】
【特許文献１】米国特許第７９４４６９９号明細書
【発明の概要】
【発明が解決しようとする課題】
【００１１】
従来のサーバーラックでは、サーバーラック前面に閉塞板を設けることによりＩＣＴ装置の排熱がサーバーラック背面からサーバーラック内に回り込まないように構成されている。しかしながら、閉塞板は一般的に、１Ｕ（ユニット：１Ｕ＝１．７５インチ）のｎ倍（ｎは整数）の寸法で作製されるため、例えばＩＣＴ装置がそのような寸法と異なる場合は、閉塞板でＩＣＴ装置間の隙間を適切に塞ぐことができないという問題があった。
【００１２】
また、仮にＩＣＴ装置がユニット単位の寸法と適合する場合でも、ＩＣＴ装置とマウントフレームとの位置関係のずれから、隙間を適切に塞ぐことができない場合もあり得る。
【００１３】
一般に、ＩＣＴ装置の各寸法（幅、奥行き、高さ）は、ＩＣＴ装置によって異なる場合があるので、このようなＩＣＴ装置を機器収納ラックに配置すると、ＩＣＴ装置の寸法のばらつきによって、従来の閉塞板によってはＩＣＴ装置間の隙間を適切に塞ぐことができない。図３は、ＩＣＴ装置１０３ｂの寸法のばらつきによって存在する隙間の例を示す図であって、（ａ）はＩＣＴ装置１０３ｂの上下部分に隙間ｄが存在する場合、（ｂ）はＩＣＴ装置１０３ｂの前面と閉塞板１０４との間に隙間ｓが存在する場合を示している。このような場合、隙間を適切に塞ぐことができない。
【００１４】
本発明は、このような状況下においてなされたものであり、機器収納ラック内への暖気の回り込みを抑制するように構成された閉塞板およびそれを備えた機器収納ラックを提供することを目的としている。
【課題を解決するための手段】
【００１５】
上記の課題を解決するための本発明は、機器収納ラックに取り付けられるｎユニット（ｎは１以上の整数）の閉塞板であって、ｍユニット（０＜ｍ＜１）の間隔で機器収納ラックの内側に折り込むことができるように形成された折込手段を備え、前記機器収納ラック内に複数のＩＣＴ装置を収納する際に、前記折込手段によって前記閉塞板が前記機器収納ラックの内側に折り込まれて前記ＩＣＴ装置間の隙間を塞ぐように構成されているものである。
【００１６】
前記閉塞板はさらに、前記機器収納ラックのマウントレールの内側に折り曲げられるように構成するようにしてもよい。
【００１７】
前記折込手段は、切り込みまたはミシン目としてもよい。
【００１８】
前記閉塞板は、前記折込手段の位置で、折り曲げ、または、切り離しができるように構成するようにしてもよい。
【００１９】
上記の課題を解決するための本発明は、前記閉塞板を備える機器収納ラックである。
【発明の効果】
【００２０】
本発明によれば、機器収納ラック内への暖気の回り込みを抑制することができる。
【図面の簡単な説明】
【００２１】
【図１】従来のサーバーラックの構成を示す図である。
【図２】従来のサーバーラックにおける排熱処理および冷却処理を説明するための図である。
【図３】ＩＣＴ装置の寸法のばらつきによって存在する隙間の例を示す図である。
【図４】本実施形態における閉塞板を備えた機器収納ラックの一部の構成例を示す図である。
【図５】ＩＣＴ装置間の隙間を塞ぐように取り付けられた閉塞板の取付態様を示す図である。
【図６】閉塞板が折り返して形成される手順を説明するための図である。
【発明を実施するための形態】
【００２２】
本実施形態の閉塞板は、機器収納ラック内への暖気の回り込みを抑制するものである。  図４は本実施形態における閉塞板１３を備えた機器収納ラック１０の一部の構成例を示す図である。
【００２３】
図４に示すように、機器収納ラック１０には、マウントフレーム１１，１２が取り付けられ、これらのマウントフレーム１１，１２に沿って閉塞板１３が取り付けられる。マウントフレーム１１，１２は、前述したマウントフレーム１０１，１０２（図１）に相当し、複数台のＩＣＴ装置が、マウントフレーム１１，１２の上下方向に沿って配置されるようになっている。図４の例では、マウントフレーム１１，１２の間隔は、それぞれの中心から例えば１９インチとする。
【００２４】
なお、図４では機器収納ラック１０全体の構成を特定せずに、マウントフレーム１１，１２および閉塞板１３のみを表示しているが、ＩＣＴ装置が収納可能であれば機器収納ラック１０の構成として図１と同様の態様もとり得る。
【００２５】
この実施形態の閉塞板１３は、例えば１２Ｕ（ｎ＝１２）の寸法で構成され、０．５Ｕの間隔で機器収納ラック１０の内側に折り込むことができるように折込手段２０（図１中、実線で示してある。）が形成されている。例えば、折込手段２０は、切り込みまたはミシン目であるが、折り込みが可能であれば他の手段も採用することができる。また、閉塞板１３は、折込手段２０の位置で、折り曲げ、または、切り離しができるように構成されている。閉塞板１３は、折込手段２０の位置で、折り曲げ、または、切り離しができる程度の柔軟性および伸縮性を有する。
【００２６】
折込手段２０の間隔は、自在に変更することができる。例えば、ｍＵ（０＜ｍ＜１）の間隔で折込手段２０を設けるようにしてもよい。
【００２７】
ＩＣＴ装置１０３ａ〜１０３ｄが機器収納ラック１０に収納される際には、上述した折込手段２０の位置で折り込まれて、ＩＣＴ装置間の隙間が塞がれるようになっている。この様子を図５に示す。
【００２８】
図５は、ＩＣＴ装置１０３ｂ，１０３ｃ間の隙間を塞ぐように取り付けられた閉塞板１３の取付態様を示す図である。なお、図５は、ＩＣＴ装置の側面からみた図を示してある。
【００２９】
図５において、閉塞板１３は、ＩＣＴ装置１０３ｂ，１０３ｃの間の隙間を塞ぐために、本体部１３１から、機器収納ラック１０の内側へ折り込まれた折込部１３２，１３３を有する。各折込部１３２，１３３は、図４に示した折込手段２０で２つに折られて形成される。図５の例において、ＩＣＴ装置１０３ｂ，１０３ｃの間の上下間隔（隙間）を「ｈ」とすると、閉塞板１３の本体部１３１の寸法は「ｈ」、折込部１３２，１３３の各寸法は「０．５Ｕ」となる。
【００３０】
また、図５に示すように、ＩＣＴ装置１０３ｂ，１０３ｃは、奥行きの寸法が異なるが、折込部１３２，１３３が各ＩＣＴ装置１０３ｂ，１０３ｃと接するようになっている。これは、機器収納ラック１０において、ＩＣＴ装置１０３ｂ，１０３ｃの排熱がラック背面からラック内に回り込まないようになっていることを意味する。
【００３１】
閉塞板１３の折り込み手順は、図６においてさらに詳細に示してある。図６は、閉塞板１３が折り返して形成される手順を説明するための図である。
【００３２】
図６において、（１）まず、本体部１３１の折込手段２０から内側に折り込んで折込部１３３を作製する。これにより、例えば図５に示したような態様で、ＩＣＴ装置間の隙間が塞がれる。さらに、これとは別に、（２）折込部１３３をさらに内側に折り込むようにしてもよい。このようにすることで、リードフレーム１１，１２の間隔（図４では、１９インチ）に応じて、折込部１３３の横寸法を調整して、リードフレームと閉塞板１３との間の隙間を塞ぐことができる。そのような構成によっても、ＩＣＴ装置１０３ｂ，１０３ｃの排熱がサーバーラック背面からサーバーラック内に回り込まないようにすることができる。
【００３３】
以上説明したように、本実施形態の閉塞板１３によれば、ｍユニット（０＜ｍ＜１）の間隔で機器収納ラック１０の内側に折り込むことができるように形成された折込手段２０を備えている。そのため、機器収納ラック１０内に複数のＩＣＴ装置を収納する際に、折込手段２０によって閉塞板１３が機器収納ラック１０の内側に折り込まれてＩＣＴ装置間の隙間を塞ぐように構成されている。ここで、折込手段２０は、ｍユニット（０＜ｍ＜１）の間隔で設けられるので、ＩＣＴ装置の寸法（幅、奥行き、高さ）に応じて、閉塞板１３の折り込み位置を調整して、ＩＣＴ装置間の隙間を適切に塞ぐことが可能となる。これにより、機器収納ラック１０内への暖気の回り込みが抑制される。また、ＩＣＴ装置の冷却効率を高めることができる。
【００３４】
また、閉塞板１３はさらに、機器収納ラック１０のマウントレール１１，１２の内側に折り曲げられるように構成されているので、マウントレール１１，１２と閉塞板１３との隙間を適切に塞ぐことが可能となる。
【符号の説明】
【００３５】
１０  機器収納ラック
１１，１２  マウントレール
１３  閉塞板
２０  折込手段
【図１】
2015082518.tif 000003
【図２】
2015082518.tif 000004
【図３】
2015082518.tif 000005
【図４】
2015082518.tif 000006
【図５】
2015082518.tif 000007
【図６】
2015082518.tif 000008